【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
画像を符号化する方法であって、
前記画像から決定されるバックライト画像を符号化することと、
前記画像を前記バックライト画像の復号されたバージョンで除算することにより残差画像を取得することと、
前記残差画像をトーンマッピングすることによりトーンマッピングされた残差画像を取得することと、
前記トーンマッピングされた残差画像を符号化することと、
を含む、前記方法。
【請求項２】
前記残差画像をトーンマッピングすることは、前記残差画像の画素値に従った、ガンマ補正またはＳＬｏｇ補正のいずれかを含む、請求項１に記載の方法。
【請求項３】
前記バックライト画像を前記画像から得ることは、
バックライト画像を、前記画像の輝度成分から取得することと、
前記バックライト画像を、前記画像の平均輝度値によって変調することと、
を含む、請求項１または２に記載の方法。
【請求項４】
前記バックライト画像を前記画像から得ることは、
前記バックライト画像を、その平均値により、前記バックライト画像を変調する前に正規化すること
をさらに含む、請求項３に記載の方法。
【請求項５】
前記方法は、符号化の前に、前記残差画像の各々の成分に対してスケール化因子を乗算することにより、前記残差画像をスケール化することをさらに含む、請求項１乃至４のいずれか一項に記載の方法。
【請求項６】
前記方法は、符号化の前に、前記残差画像をクリッピングして、そのダイナミックレンジを、目標とされるダイナミックレンジに制限することをさらに含む、請求項１乃至５のいずれか一項に記載の方法。
【請求項７】
前記画像は、
ローカルメモリ、
ストレージインターフェイス、
ブロードキャストインターフェイス、
通信インターフェイス、および、
画像取り込み回路、
を備えるセットに属する発生源から取得される、請求項１乃至６のいずれか一項に記載の方法。
【請求項８】
前記画像は、符号化された画像に符号化され、前記符号化された画像は、
ローカルメモリ、
ストレージインターフェイス、および、
通信インターフェイス、
を備えるセットに属する宛先に送出される、請求項１乃至７のいずれか一項に記載の方法。
【請求項９】
画像をバックライト画像で除算することにより算出される残差画像を表すビットストリームを復号する方法であって、
前記ビットストリームを少なくとも部分的に復号することによりバックライト画像および復号された残差画像を取得することと、
前記復号された残差画像に対して前記バックライト画像を乗算することにより復号された画像を取得することと、
を含み、
前記復号された残差画像は、前記復号された残差画像に対して前記バックライト画像を乗算する前に逆トーンマッピングされる、前記方法。
【請求項１０】
画像を符号化するデバイスであって、
前記画像から決定されるバックライト画像を符号化することと、
前記画像を前記バックライト画像の復号されたバージョンで除算することにより残差画像を取得することと、
前記残差画像をトーンマッピングすることによりトーンマッピングされた残差画像を取得することと、
前記トーンマッピングされた残差画像を符号化することと、
を行うように構成された、前記デバイス。
【請求項１１】
前記デバイスは、
移動可能デバイス、
通信デバイス、
ゲームデバイス、
タブレット、
ラップトップ、
静止画像カメラ、
ビデオカメラ、
符号化チップ、
静止画像サーバー、および、
ビデオサーバー、
を備えるセットに属する、請求項１０に記載のデバイス。
【請求項１２】
前記デバイスは、
ローカルメモリ、
ストレージインターフェイス、
ブロードキャストインターフェイス、
通信インターフェイス、および、
画像取り込み回路、
を備えるセットに属する、前記画像を取得するための手段を備える、請求項１０または１１に記載のデバイス。
【請求項１３】
前記デバイスは、
ローカルメモリ、
ストレージインターフェイス、
ブロードキャストインターフェイス、
ディスプレイ、および、
通信インターフェイス、
を備えるセットに属する、宛先に、符号化された画像を送出するための手段を備える、請求項１０乃至１２のいずれか一項に記載のデバイス。
【請求項１４】
画像をバックライト画像で除算することにより算出される残差画像を表すビットストリームを復号するデバイスであって、
前記ビットストリームを少なくとも部分的に復号することによりバックライト画像および復号された残差画像を取得することと、
前記復号された残差画像に対して前記バックライト画像を乗算することにより復号された画像を取得することと、
を行うように構成され、
復号された残差画像を、前記復号された残差画像に対してバックライト画像を乗算する前に逆トーンマッピングするようにさらに構成された、前記デバイス。
【請求項１５】
前記デバイスは、
移動可能デバイス、
通信デバイス、
ゲームデバイス、
セットトップボックス、
ＴＶセット、
タブレット、
ラップトップ、および、
復号チップ、
を備えるセットに属する、請求項１４に記載の復号デバイス。
【手続補正２】
【補正対象書類名】明細書
【補正対象項目名】０２０４
【補正方法】変更
【補正の内容】
【０２０４】
いくつかの実現が説明された。それでも、様々な変更がなされ得るということが理解されよう。例えば異なる実現の要素は、他の実現を生み出すために、組み合わされ、補完され、変更され、または除去され得る。追加的に当業者は、他の構造およびプロセスが、開示されるものの代わりになり得るものであり、結果として生じる実現は、開示される実現と、少なくとも実質的に同じ機能を、少なくとも実質的に同じ方法で遂行して、少なくとも実質的に同じ結果を達成することになるということを理解するであろう。したがって、これらおよび他の実現は、本出願により企図されるものである。
上記実施形態の一部又は全部は、以下の付記のようにも記載されうるが、以下には限られない。
（付記１）
画像を符号化するための方法であって、
−  前記画像から決定される（１１）バックライト画像を符号化する（１２）ステップと、
−  前記画像を前記バックライト画像の復号されたバージョンで除算することにより残差画像を取得する（１３）ステップと、
−  前記残差画像をトーンマッピングすることによりトーンマッピングされた残差画像を取得する（１６）ステップと、
−  前記トーンマッピングされた残差画像を符号化する（１９）ステップと、
を含む、前記方法。
（付記２）
前記残差画像をトーンマッピングすることは、前記残差画像の画素値に従った、ガンマ補正またはＳＬｏｇ補正のいずれかを含む、付記１に記載の方法。
（付記３）
前記バックライト画像を前記画像から得る（１１）ことは、
−  バックライト画像を、前記画像の輝度成分から取得するステップと、
−  前記バックライト画像を、前記画像の平均輝度値（Ｌmean）によって変調するステップと、
を含む、付記１または２に記載の方法。
（付記４）
前記バックライト画像を前記画像から得る（１１）ことは、
−  前記バックライト画像を、その平均値により、前記バックライト画像を変調する前に正規化するステップ
をさらに含む、付記３に記載の方法。
（付記５）
前記方法は、符号化の前に、前記残差画像の各々の成分に対してスケール化因子を乗算することにより、前記残差画像をスケール化する（１７）ステップをさらに含む、付記１乃至４のいずれか一項に記載の方法。
（付記６）
前記方法は、符号化の前に、前記残差画像をクリッピングして（１８）、そのダイナミックレンジを、目標とされるダイナミックレンジに制限するステップをさらに含む、付記１乃至５のいずれか一項に記載の方法。
（付記７）
前記画像は、
−  ローカルメモリ、
−  ストレージインターフェイス、
−  ブロードキャストインターフェイス、
−  通信インターフェイス、および、
−  画像取り込み回路、
を備えるセットに属する発生源から取得される、付記１乃至６のいずれか一項に記載の方法。
（付記８）
前記画像は、符号化された画像に符号化され、前記符号化された画像は、
・  ローカルメモリ、
・  ストレージインターフェイス、および、
・  通信インターフェイス、
を備えるセットに属する宛先に送出される、付記１乃至７のいずれか一項に記載の方法。
（付記９）
画像をバックライト画像で除算することにより算出される残差画像を表すビットストリームを復号するための方法であって、
−  前記ビットストリームを少なくとも部分的に復号することによりバックライト画像（１４、１５）および復号された残差画像（５１）を取得するステップと、
−  前記復号された残差画像に対して前記バックライト画像を乗算することにより復号された画像を取得する（５４）ステップと、
を含み、
前記復号された残差画像は、前記復号された残差画像に対して前記バックライト画像を乗算する前に逆トーンマッピングされる（５３）、前記方法。
（付記１０）
画像を符号化するためのデバイスであって、
−  前記画像から決定される（ＢＡＭ）バックライト画像を符号化する（ＥＮＣ１）ことと、
−  前記画像を前記バックライト画像の復号されたバージョンで除算することにより残差画像を取得することと、
−  前記残差画像をトーンマッピングすることによりトーンマッピングされた残差画像を取得する（ＴＭＯ）ことと、
−  前記トーンマッピングされた残差画像を符号化する（ＥＮＣ２）ことと、
を行うように構成された、前記デバイス。
（付記１１）
前記デバイスは、
−  移動可能デバイス、
−  通信デバイス、
−  ゲームデバイス、
−  タブレット、
−  ラップトップ、
−  静止画像カメラ、
−  ビデオカメラ、
−  符号化チップ、
−  静止画像サーバー、および、
−  ビデオサーバー、
を備えるセットに属する、付記１０に記載のデバイス。
（付記１２）
前記デバイスは、
−  ローカルメモリ、
−  ストレージインターフェイス、
−  ブロードキャストインターフェイス、
−  通信インターフェイス、および、
−  画像取り込み回路、
を備えるセットに属する、前記画像を取得するための手段を備える、付記１０または１１に記載のデバイス。
（付記１３）
前記デバイスは、
−  ローカルメモリ、
−  ストレージインターフェイス、
−  ブロードキャストインターフェイス、
−  ディスプレイ、および、
−  通信インターフェイス、
を備えるセットに属する、宛先に、符号化された画像を送出するための手段を備える、付記１０乃至１２のいずれか一項に記載のデバイス。
（付記１４）
画像をバックライト画像で除算することにより算出される残差画像を表すビットストリームを復号するためのデバイスであって、
−  前記ビットストリームを少なくとも部分的に復号することによりバックライト画像（ＤＥＣ１、ＢＡＧ）および復号された残差画像（ＤＥＣ２）を取得することと、
−  前記復号された残差画像に対して前記バックライト画像を乗算することにより復号された画像を取得することと、
を行うように構成され、
復号された残差画像を、前記復号された残差画像に対してバックライト画像を乗算する前に逆トーンマッピングする（ＩＴＭＯ）ようにさらに構成された、前記デバイス。
（付記１５）
前記デバイスは、
−  移動可能デバイス、
−  通信デバイス、
−  ゲームデバイス、
−  セットトップボックス、
−  ＴＶセット、
−  タブレット、
−  ラップトップ、および、
−  復号チップ、
を備えるセットに属する、付記１４に記載の復号デバイス。